(57)【要約】【課題】  作業者が母線バーに誤って接触しても感電事故に遭う虞れのない絶縁被覆を施したうえプラグイン機器のプラグイン端子との接続箇所となる導電部を予め形成したプラグイン機器用の母線バーを提供する。【解決手段】  周面に絶縁被覆２を施した細長板状の母線バー本体１の板厚側の少なくとも一方の面１１に幅方向の略中央に長手方向に続けて導電用剥離部１２を設ける。【選択図】  図１
2006197721.tif 000002
【特許請求の範囲】
【請求項１】
周面に絶縁被覆を施した細長板状の母線バー本体の板厚側の少なくとも一方の面に幅方向の略中央に長手方向に続けて導電用剥離部を設けたことを特徴とするプラグイン機器用の母線バー。
【請求項２】
導電用剥離部の表面を母線バー本体に施した絶縁被覆の表面と同一面となるように形成した請求項１に記載のプラグイン機器用の母線バー。
【請求項３】
導電用剥離部の表面を母線バー本体に施した絶縁被覆の表面より突出するように形成した請求項１に記載のプラグイン機器用の母線バー。
【発明の詳細な説明】
【技術分野】
【０００１】
本発明は、ブレーカや端子台等をプラグインアダプタに組み込んだプラグインユニット等のプラグイン機器を搭載する分電盤、配電盤等の盤類に使用するプラグイン機器用の母線バーに関するものである。
【背景技術】
【０００２】
プラグイン機器用の母線バーはプラグイン機器のプラグイン端子と差し込み手段により母線バーの長手方向どの位置においても接続できるものとするため、絶縁被覆を施さないのを普通としている。これにより、盤類において回路の増設等により分岐容量を変更する場合には、他の回路の通電を停止することなく既設のブレーカ等の取り外しが行えるものである。しかし、母線バーが完全に露出することから作業者が誤って母線バーと接触して感電事故に遭う虞がある。
【０００３】
前記のような作業者が感電事故に遭わないものとしては、コントロールセンタにおける電源母線のようにユニットの断路器と接続箇所に予め耐熱性目印部材を貼着して母線全体を絶縁塗装して、ユニットの断路器を接続する際に耐熱性目印部材及び塗装をドライバーにより剥離するものが知られている（例えば、特許文献１参照）。
【０００４】
ところが、この特許文献１のものは、ユニットの断路器を電源母線に接続する全ての箇所毎に一々耐熱性目印部材及び塗装を剥離しなければならず、取り付けするユニットが少なく剥離箇所も僅かであるコントロールセンタでは問題はないが、多数のプラグイン機器を搭載するような分電盤、配電盤等の盤類においては剥離箇所が多数となるため採用できないものである。また、絶縁塗装前に電源母線に予め耐熱性目印部材を貼着するには手数が係るうえ、貼着不良箇所で塗料が入り込み耐熱性目印部材を剥がしても導電部が完全に露出せず塗料を剥離するために手数を要するものである。
【特許文献１】実開昭６３−１０５４０８号公報（全文明細）
【発明の開示】
【発明が解決しようとする課題】
【０００５】
本発明は前記のような従来の問題点を解決して、作業者が母線バーに誤って接触しても感電事故に遭う虞れのない絶縁被覆を施したうえプラグイン機器のプラグイン端子との接続箇所となる導電部を予め形成し、さらには、プラグイン端子接続の信頼性も向上させた分電盤、配電盤等の盤類に使用するプラグイン機器用の母線バーを提供するものである。
【課題を解決するための手段】
【０００６】
本発明のプラグイン機器用の母線バーは、周面に絶縁被覆を施した細長板状の母線バー本体の板厚側の少なくとも一方の面に幅方向の略中央に長手方向に続けて導電用剥離部を設けたことを特徴とするものを請求項１に記載の発明とする。そして、この請求項１の発明において、導電用剥離部の表面を母線バー本体に施した絶縁被覆の表面と同一面となるように形成したものを請求項２に記載の発明とする。また、請求項１の発明において、導電用剥離部の表面を母線バー本体に施した絶縁被覆の表面より突出するように形成したものを請求項３に記載の発明とする。
【発明の効果】
【０００７】
本発明の請求項１に係るプラグイン機器用の母線バーは、分電盤、配電盤等の盤類の盤面に対して垂直に平行に取り付ければ、周面に絶縁被覆を施した細長板状の母線バー本体の板厚側の少なくとも一方の面に幅方向の略中央に長手方向に続けて導電用剥離部を設けたものであるから、母線バーが絶縁被覆されているにも係わらずプラグイン機器のプラグイン端子は導電用剥離部により母線バーと的確に電気的に接続されるものである。しかも、母線バーに設けた導電用剥離部は細長板状の母線バー本体の板厚側の両面に幅方向の中央に長手方向に続けて設けたものであるから、プラグイン機器を多数連続して取り付けできるものである。
【０００８】
また、通電を維持しなければない電気・電子機器を負荷とした回路が母線バーに接続されている場合にプラグイン機器の増設、削減又は変更をする際には、母線バーが露出した状態であっても、盤類の前面側に臨む露出する面である部分には絶縁被覆が施されているので通電状態であっても作業者が誤って母線バーに触れても感電事故に遭う虞なく安全に作業できるものである。
【０００９】
また、請求項２に係るプラグイン機器用の母線バーは、導電用剥離部の表面を母線バー本体に施した絶縁被覆の表面と同一面となるように形成したものであるから、プラグイン端子の接圧部は母線バーの導電用剥離部の両表面間の厚さより広がることないので、プラグイン端子が必要以上に外側に撓んで変形する虞の無いものである。
【００１０】
さらに、請求項３に係るプラグイン機器用の母線バーは、導電用剥離部の表面を母線バー本体に施した絶縁被覆の表面より突出するように形成したものであるから、プラグイン端子を母線バーに差し込む際に突出部の端部がプラグイン端子に付着した余分なグリスや汚れを落すことができ接続部分の電気抵抗を低減できるものである。
【発明を実施するための最良の形態】
【００１１】
次に、本発明の好ましい実施の形態を図に基づき説明する。
〔第１の実施形態〕
先ず、図１−図５に示す第１の実施形態ついて説明する。
図１において、１は細長板状の母線バー本体であり、該母線バー本体１の周面には絶縁被覆２を施してあるとともに、この母線バー本体１の板厚側の両面１１、１１に幅方向の略中央に長手方向に導電用剥離部１２、１２が設けられている。なお、この導電用剥離部１２、１２は後記するプラグイン機器４のプラグイン端子５の接圧部５ａとの接触位置で長手方向に設けられている。また、前記導電用剥離部１２、１２は図示のものは全長に亘り連続して設けたものであるが、複数のプラグイン機器を並設した箇所に対応した長さに限定して設けたものであってもよい。さらに、前記導電用剥離部１２は母線バー本体１の板厚側の両面１１、１１に設けられているが一方の片側の面１１に設けたものであってもよい。
【００１２】
このように構成されたものは、図４、図５に示すように分電盤、配電盤等の盤類３の盤面３１に対して垂直に平行に取り付けて、図３に示すようなブレーカ４１をプラグインアダプタ４２に組み込んだプラグイン機器４の底面に突設したクリップ状のプラグイン端子５を差し込めば、周面に絶縁被覆２を施した母線バー本体１は板厚側の両面１１、１１に幅方向の略中央に長手方向に導電用剥離部１２、１２を設けたものであるから、母線バー本体１が絶縁被覆されているにも係わらずプラグイン機器４のプラグイン端子５は導電用剥離部１２により母線バーと的確に電気的に接続されるものである。なお、前記プラグイン端子５は上板部５１の左右両側下方に内向きにく字状に屈曲させた挟持片５２、５２を折曲形成させた導電性ばね板材よりなり、く字状屈曲部内面を導電用剥離部１２への接圧部５ａとしたものである。
【００１３】
そして、母線バーに設けた導電用剥離部１２、１２は母線バー本体１の板厚側の両面１１、１１に幅方向の略中央に長手方向に設けたものであるから、図４、図５に示しようにプラグイン機器４を多数連続して取り付けできるものである。
【００１４】
また、通電を維持しなければない電気・電子機器を負荷とした回路が母線バーに接続されている場合にプラグイン機器４の増設、削減又は変更をする際には、母線バーが露出した状態であっても、盤類３の前面側に臨んで露出する面には絶縁被覆２が施されているので通電状態であっても作業者が誤って母線バーに触れても感電事故に遭う虞なく安全に作業できるものである。
【００１５】
〔第２の実施形態〕
続いて、図６−図７に示す第２の実施形態ついて説明する。
図６において、１は細長板状の母線バー本体であり、該母線バー本体１の周面には絶縁被覆２を施してあるとともに、この母線バー本体１の板厚側の両面１１、１１に幅方向の略中央に長手方向に導電用剥離部１２、１２が設けられている。そして、この導電用剥離部１２の表面は母線バー本体１に施した絶縁被覆２の表面と同一面となるように形成されている。そのため導電用剥離部１２の表面は母線バー本体１の表面より厚み方向において絶縁被覆２の厚さ分突出させている。なお、この導電用剥離部１２、１２はプラグイン機器４のプラグイン端子５の接圧部５ａとの接触位置で長手方向に設けられている。また、前記導電用剥離部１２、１２は図示のものは全長に亘り連続して設けたものであるが、複数のプラグイン機器を並設した箇所に対応した長さに限定して設けたものであってもよい。さらに、前記導電用剥離部１２は母線バー本体１の板厚側の両面１１、１１に設けられているが一方の片側の面１１に設けたものであってもよい。
【００１６】
このように構成されたものは、前記第１の実施形態と同様に図４、図５に示すように分電盤、配電盤等の盤類３の盤面３１に対して垂直に平行に取り付けて、図３に示すようなブレーカ４１をプラグインアダプタ４２に組み込んだプラグイン機器４の底面に突設したクリップ状のプラグイン端子５を図７（Ａ）に示すように差し込んで、プラグイン機器４のプラグイン端子５を導電用剥離部５により母線バーと的確に電気的に接続するものである。また、図４、図５に示すようにプラグイン機器４を多数連続して取り付けできるものである。また、前記した同様に通電状態であっても作業者が誤って母線バーに触れても感電事故に遭う虞なく安全に作業できるものである。
【００１７】
しかも、この実施形態のものは、導電用剥離部１２の表面と母線バー本体１に施した絶縁被覆２の表面が同一面となるように形成したものであるから、プラグイン端子５の接圧部５ａは母線バーの導電用剥離部１２、１２の両表面間の厚さより広がることないので、プラグイン端子５が必要以上に外側に撓んで変形する虞の無いものであり接圧力が低下することがないものであり、プラグイン端子接続の信頼性も向上させることができる。
【００１８】
〔第３の実施形態〕
さらに、図８−図９に示す第３の実施形態ついて説明する。
図８において、１は細長板状の母線バー本体であり、該母線バー本体１の周面には絶縁被覆２を施してあるとともに、この母線バー本体１の板厚側の両面１１、１１に幅方向の略中央に長手方向に導電用剥離部１２、１２が設けられている。そして、この導電用剥離部１２の表面が母線バー本体１に施した絶縁被覆２の表面より突出するように形成してある。そのため導電用剥離部１２の表面は母線バー本体１の表面より厚み方向において絶縁被覆２の厚さ以上に突出させている。なお、この導電用剥離部１２、１２はプラグイン機器４のプラグイン端子５の接圧部５ａとの接触位置で長手方向に設けられている。また、前記導電用剥離部１２、１２は図示のものは全長に亘り連続して設けたものであるが、複数のプラグイン機器を並設した箇所に対応した長さに限定して設けたものであってもよい。さらに、前記導電用剥離部１２は母線バー本体１の板厚側の両面１１、１１に設けられているが一方の片側の面１１に設けたものであってもよい。
【００１９】
このように構成されたものは、前記第１及び第２の実施形態と同様に図４、図５に示すように分電盤、配電盤等の盤類３の盤面３１に対して垂直に平行に取り付けて、図３に示すようなブレーカ４１をプラグインアダプタ４２に組み込んだプラグイン機器４の底面に突設したクリップ状のプラグイン端子５を図９（Ａ）に示すように差し込んで、プラグイン機器４のプラグイン端子５を導電用剥離部５により母線バーと的確に電気的に接続するものである。また、図４、図５に示すようにプラグイン機器４を多数連続して取り付けできるものである。
【００２０】
しかも、この実施形態のものは、導電用剥離部１２の表面が母線バー本体１に施した絶縁被覆２の表面より突出するように形成したものであるから、プラグイン端子５を母線バーに差し込む際に突出部の端部がプラグイン端子５に付着した余分なグリスや汚れを削り落すことができ接続部分の電気抵抗を低減できるものである。そのため、突出部の端部を角張った形状とすることが好ましい。また、前記第２の実施形態同様に、プラグイン端子５の接圧部５１は母線バーの導電用剥離部１２、１２の両表面間の厚さより広がることないので、プラグイン端子５が必要以上に外側に撓んで変形する虞の無いものであり接圧力が低下することがないものであり、プラグイン端子接続の信頼性もより向上させたものである。
【００２１】
なお、本発明のプラグイン機器用の母線バーは、いずれも周面に絶縁被覆を施した細長板状の母線バー本体の板厚側両面の幅方向の略中央に長手方向に続けて導電用剥離部を設けたものであるから、細長板状の母線バー本体の全面に亘り絶縁被覆を施したうえ、板厚側両面の絶縁被覆を長手方向において剥離すればよいので、全面塗装を行ったうえ、グラインダーにより一連に剥離することにより安価に量産できるものである。また、導電用剥離部１２が母線バー本体１の板厚側の一方の面１１に設けたものである場合には片側面のみをグラインダーにより一連に剥離することは勿論である。
【図面の簡単な説明】
【００２２】
【図１】第１の実施形態を示す一部切欠斜視図である。
【図２】第１の実施形態を示す模式図であり、（Ａ）はプラグイン端子と母線バーの接続状態を示す側面図、（Ｂ）はプラグイン端子と母線バーを分離した状態を示す側面図である。
【図３】プラグイン機器の１例を示す斜視図である。
【図４】使用状態の１例を示す斜視図である。
【図５】使用状態の１例を示す正面図である。
【図６】第２の実施形態を示す一部切欠斜視図である。
【図７】第２の実施形態を示す模式図であり、（Ａ）はプラグイン端子と母線バーの接続状態を示す側面図、（Ｂ）はプラグイン端子と母線バーを分離した状態を示す側面図である。
【図８】第３の実施形態を示す一部切欠斜視図である。
【図９】第４の実施形態を示す模式図であり、（Ａ）はプラグイン端子と母線バーの接続状態を示す側面図、（Ｂ）はプラグイン端子と母線バーを分離した状態を示す側面図である。
【符号の説明】
【００２３】
１  母線バー本体
11  母線バー本体の板厚側の面
12  導電用剥離部
２  絶縁被覆
【図１】
2006197721.tif 000003
【図２】
2006197721.tif 000004
【図３】
2006197721.tif 000005
【図４】
2006197721.tif 000006
【図５】
2006197721.tif 000007
【図６】
2006197721.tif 000008
【図７】
2006197721.tif 000009
【図８】
2006197721.tif 000010
【図９】
2006197721.tif 000011